(57)【要約】【課題】ユーザーが無線接続のための設定情報の入力を行わなくとも外部装置から画像データを取得して画像の表示を行う。【解決手段】プロジェクター１０はＮＦＣタグを有し、端末装置２０は、ＮＦＣのリーダー／ライターの機能を有している。画像データが表す画像を表示している端末装置２０をプロジェクター１０のＮＦＣタグに近づけると、端末装置２０とプロジェクター１０とが無線接続され、端末装置２０が表示している画像の画像データがプロジェクター１０へ送信される。プロジェクター１０は、端末装置２０から送信された画像データを受信すると、投写領域を２つに分割し、一方の領域には分割前に投写していた映像を投写し、他方の領域には、端末装置２０から受信した画像データが表す画像を投写する。【選択図】図１
2016177132.tif 000002
【特許請求の範囲】
【請求項１】
画像を表示する表示手段と、
映像信号を取得する取得手段と、
ＮＦＣの規格に従った通信を行う通信手段と、
前記表示手段を制御して、前記通信手段が画像データを取得すると、取得した画像データが表す画像と、前記取得手段が取得した映像信号が表す画像とを共に表示する表示制御手段と
を備える表示装置。
【請求項２】
前記通信手段は、ＮＦＣタグである請求項１に記載の表示装置。
【請求項３】
前記ＮＦＣタグを複数有し、
前記表示制御手段は、前記画像データを受信したＮＦＣタグに応じた表示位置に前記画像データが表す画像を表示する
請求項２に記載の表示装置。
【請求項４】
前記表示制御手段は、前記通信手段が外部装置と無線接続すると、分割された表示領域の一つに前記画像データが表す画像を表示する
請求項１から請求項３のいずれか一項に記載の表示装置。
【請求項５】
前記表示制御手段は、前記通信手段と前記画像データを送信した外部装置との無線接続が切断された場合、前記画像データが表す画像を前記表示手段の表示領域から消去する
請求項１から請求項４のいずれか一項に記載の表示装置。
【請求項６】
前記表示制御手段は、前記通信手段と前記画像データを送信した外部装置との無線接続が切断された後、前記通信手段が外部装置と無線接続した場合、前記画像データが表す画像を前記表示手段の表示領域から消去する
請求項１から請求項４のいずれか一項に記載の表示装置。
【請求項７】
ＮＦＣの規格に従った通信により画像データを取得する取得ステップと、
前記取得ステップで取得した画像データが表す画像と、映像信号を取得する取得手段が取得した映像信号が表す画像とを共に表示するように、表示手段を制御する表示制御ステップと
を備える表示方法。
【発明の詳細な説明】
【技術分野】
【０００１】
本発明は、外部装置から取得した画像データが表す画像を表示する技術に関する。
【背景技術】
【０００２】
特許文献１には、無線ＬＡＮへの接続のためのパラメータをＮＦＣ（Near Field Communication）の通信によって取得し、取得したパラメータで無線ＬＡＮへの接続を行う技術が開示されている。この技術を利用すれば、例えば、無線ＬＡＮの通信機能を備えた装置へ他の装置を近づけ、ＮＦＣの通信で設定情報を授受することにより、無線ＬＡＮのダイレクト通信を簡単に行うことが可能となる。
【先行技術文献】
【特許文献】
【０００３】
【特許文献１】特表２０１２−５０２５５４号公報
【発明の概要】
【発明が解決しようとする課題】
【０００４】
例えば、携帯端末に記憶されている画像をプロジェクターで投写する場合、特許文献１の技術によって携帯端末とプロジェクターとの間で無線ＬＡＮのダイレクト通信の設定を行うと、携帯端末からプロジェクターへ画像データを送り、画像データが表す画像をプロジェクターで表示することができる。しかしながら、特許文献１の技術の場合、まず無線ＬＡＮの接続設定を行った後、プロジェクターにおいて映像ソースを切り替える必要があり、手間がかかることとなる。
【０００５】
本発明は、ユーザーが無線接続のための設定情報の入力を行わなくとも外部装置から画像データを取得して画像の表示を行う技術を提供する。
【課題を解決するための手段】
【０００６】
本発明は、画像を表示する表示手段と、映像信号を取得する取得手段と、ＮＦＣの規格に従った通信を行う通信手段と、前記表示手段を制御して、前記通信手段が画像データを取得すると、取得した画像データが表す画像と、前記取得手段が取得した映像信号が表す画像とを共に表示する表示制御手段とを備える表示装置を提供する。
この表示装置によれば、ユーザーが無線接続のための設定情報の入力を行わなくとも外部装置から画像データを取得して画像の表示を行うことができる。
【０００７】
本発明においては、前記通信手段は、ＮＦＣタグである構成としてもよい。
この構成によれば、表示装置の電源からＮＦＣタグに電力を供給せずに外部装置と通信を行うことができる。
【０００８】
また、本発明においては、前記ＮＦＣタグを複数有し、前記表示制御手段は、前記画像データを受信したＮＦＣタグに応じた表示位置に前記画像データが表す画像を表示する構成としてもよい。
この構成によれば、画像データが表す画像の表示位置を変更することができる。
【０００９】
また、本発明においては、前記表示制御手段は、前記通信手段が外部装置と無線接続すると、分割された表示領域の一つに前記画像データが表す画像を表示する構成としてもよい。
この構成によれば、他の映像と重ねずに画像データが表す画像を表示することができる。
【００１０】
また、本発明においては、前記表示制御手段は、前記通信手段と前記画像データを送信した外部装置との無線接続が切断された場合、前記画像データが表す画像を前記表示手段の表示領域から消去する構成としてもよい。
この構成によれば、表示装置に対する操作を行うことなく、画像データが表す画像を表示しないようにすることができる。
【００１１】
また、本発明においては、前記表示制御手段は、前記通信手段と前記画像データを送信した外部装置との無線接続が切断された後、前記通信手段が外部装置と無線接続した場合、前記画像データが表す画像を前記表示手段の表示領域から消去する構成としてもよい。
この構成によれば、表示装置に対する操作を行うことなく、画像データが表す画像を表示しないようにすることができる。
【００１２】
また、本発明は、ＮＦＣの規格に従った通信により画像データを取得する取得ステップと、前記取得ステップで取得した画像データが表す画像と、映像信号を取得する取得手段が取得した映像信号が表す画像とを共に表示するように、表示手段を制御する表示制御ステップとを備える画像表示方法を提供する。
この画像表示方法によれば、ユーザーが無線接続のための設定情報の入力を行わなくとも外部装置から画像データを取得して画像の表示を行うことができる。
【図面の簡単な説明】
【００１３】
【図１】本発明の一実施形態に係る装置を示した図。
【図２】プロジェクター１０のハードウェア構成を示した図。
【図３】プロジェクター１０において実現する機能の機能ブロック図。
【図４】端末装置２０のハードウェア構成を示した図。
【図５】端末装置２０において実現する機能の機能ブロック図。
【図６】制御部１１０が行う処理の流れを示したフローチャート。
【図７】変形例におけるＮＦＣタグの配置位置を示した図。
【図８】変形例における動作例を説明するための図。
【発明を実施するための形態】
【００１４】
［実施形態］
（全体構成）
図１は、本発明の一実施形態に係る装置を示した図である。本実施形態に係る端末装置２０は、所謂スマートフォンである。端末装置２０は、ＮＦＣ（Near Field Communication）の規格に従った通信を行う機能を備えている。なお、端末装置２０は、スマートフォンに限定されるものではなく、ＮＦＣの規格に従った通信を行う機能を備えたタブレット端末やフィーチャフォン、スマートウォッチなどであってもよい。プロジェクター１０は、外部装置から供給された映像信号が表す画像や、外部装置から取得した画像データが表す画像をスクリーンや壁面へ投写する表示装置の一例である。
【００１５】
（プロジェクター１０の構成）
図２は、プロジェクター１０のハードウェア構成を示した図である。プロジェクター１０は、制御部１１０、記憶部１２０、操作部１３０、投写部１４０を備える。また、プロジェクター１０は、映像処理部１５０、映像インターフェース１６０、ＮＦＣタグ１７０、通信部１８０を備える。制御部１１０は、ＣＰＵ（Central Processing Unit）、ＲＯＭ（Read Only Memory）及びＲＡＭ（Random Access Memory）を備えたマイクロコンピューターである。ＲＯＭに記憶されているプログラムをＣＰＵが実行すると、プロジェクター１０においては、制御部１１０が各部を制御し、映像信号や画像データを取得して画像を投写する機能が実現する。記憶部１２０は、投写する画像の画質に係る設定値や、各種機能の設定に係る情報を記憶する。
【００１６】
操作部１３０は、プロジェクター１０を操作するための複数のボタンを備えている。操作されたボタンに応じて制御部１１０が各部を制御することにより、投写される画像の調整や、プロジェクター１０が有する各種機能の設定などが行われる。また、操作部１３０は、リモートコントローラー（図示略）からの赤外光の信号を受光する受光部（図示略）を備えている。操作部１３０は、リモートコントローラーから送信された信号を電気信号に変換して制御部１１０へ供給し、制御部１１０は、供給される信号に応じて各部を制御する。通信部１８０は、有線のＬＡＮの通信インターフェースや、無線ＬＡＮの通信インターフェース、Ｂｌｕｅｔｏｏｔｈ（登録商標）の通信インターフェース、ＵＳＢ（Universal Serial Bus）の通信インターフェースなどを有し、各種インターフェースによって他のコンピュータ装置と通信を行う。
【００１７】
映像インターフェース１６０は、ＲＣＡ、Ｄ−Ｓｕｂ、ＨＤＭＩ（登録商標）などのコネクターを有し、外部装置からコネクターに供給された映像信号を映像処理部１５０へ供給する。映像インターフェース１６０は、映像信号を取得する取得手段の一例である。映像処理部１５０は、映像インターフェース１６０から供給される映像信号を取得する。また、映像処理部１５０は、プロジェクター１０を操作するためのＧＵＩ（Graphical User Interface）やメニューなどのオンスクリーン画像の信号を制御部１１０から取得する。映像処理部１５０は、各種の画像処理機能を備えており、映像インターフェース１６０から供給された映像信号に画像処理を施し、投写する画像の画質を調整する。また、映像処理部１５０は、制御部１１０からオンスクリーン画像の信号が供給された場合には、オンスクリーン画像の信号を重畳した映像信号を投写部１４０へ供給する。
【００１８】
画像を投写する投写部１４０は、光源１４１、ライトバルブ１４２、駆動回路１４４及び投写光学系１４３を有している。光源１４１は、光を発するランプであり、光源１４１が発した光は、図示省略した複数のダイクロイックミラーやミラーによって赤、緑、青の光に分光され、分光された赤、緑、青のそれぞれの光はライトバルブ１４２に導かれる。なお、光源１４１は、ランプではなく、発光ダイオード又はレーザ光を発する半導体レーザ装置であってもよい。
【００１９】
駆動回路１４４は、映像処理部１５０から供給される映像信号を取得する。駆動回路１４４に供給される映像信号は、投写する画像における赤の成分の階調を表す階調データ、投写する画像における緑の成分の階調を表す階調データ及び投写する画像における青の成分の階調を表す階調データを有する。駆動回路１４４は、赤、緑、青の各色の階調データを抽出し、抽出した各色の階調データに基づいてライトバルブ１４２を駆動する。
【００２０】
ライトバルブ１４２は、前述の赤の光が入射する液晶ライトバルブ、前述の緑の光が入射する液晶ライトバルブ、及び前述の青の光が入射する液晶ライトバルブを有している。液晶ライトバルブは、透過型の液晶パネルであり、複数行複数列でマトリクス状に配置された画素を備えている。赤の光が入射する液晶ライトバルブは赤の階調データに基づいて駆動され、緑の光が入射する液晶ライトバルブは緑の階調データに基づいて駆動され、青の光が入射する液晶ライトバルブは青の階調データに基づいて駆動される。各液晶ライトバルブは、駆動回路１４４によって各画素が制御されて画素の透過率が変化する。画素の透過率が制御されることにより、液晶ライトバルブを透過した各色の光は、各階調データに対応した画像となる。液晶ライトバルブを透過した赤、緑、青の光の画像は、図示省略したダイクロイックプリズムにより合成されて投写光学系１４３に入射する。投写光学系１４３は、入射した画像を拡大する光学系であり、入射した画像をレンズやミラーによって拡大して投写する。
映像処理部１５０及び投写部１４０は、協働することにより画像を表示する表示手段として機能する。
【００２１】
ＮＦＣタグ１７０は、ＮＦＣの規格に従った通信を行うタグであり、ＮＦＣの規格に従った通信を行う通信手段の一例である。ＮＦＣタグ１７０は、外部装置からＮＦＣの通信で送られる電波から電力を得る構成であってもよく、また、プロジェクター１０の電源から電力を得る構成であってもよい。プロジェクター１０の筐体の上面においては、ＮＦＣの通信を行う装置をかざす場所を表すマークが描かれており、筐体内にあるＮＦＣタグ１７０は、このマークの近傍に配置されている。ＮＦＣタグ１７０は、制御部１７１、無線通信部１７２、ＲＡＭ１７３及びシリアルインターフェース１７４を備える。制御部１７１は、特定用途向けの集積回路であり、無線通信部１７２、ＲＡＭ１７３及びシリアルインターフェース１７４の各部を制御する。無線通信部１７２は、ＮＦＣの通信で使用する電波の受信及び送信を行うアンテナ（図示略）を有している。無線通信部１７２は、外部装置から送信された電波をアンテナで受信し、受信した電波が表す信号を制御部１７１へ供給する。また、無線通信部１７２は、制御部１７１により制御され、制御部１７１から供給された信号を表す電波をアンテナから送信する。ＲＡＭ１７３は、各種データを記憶する。本実施形態においては、ＲＡＭ１７３は、端末装置２０から送信された画像データを記憶する。シリアルインターフェース１７４は、制御部１７１及び制御部１１０に接続されている。制御部１７１は、シリアルインターフェース１７４を介して制御部１１０と通信を行い、ＲＡＭ１７３に記憶されている画像データを制御部１１０へ供給する。
【００２２】
図３は、制御部１１０がプログラムを実行することにより実現する機能の構成を示した機能ブロック図である。画像データ処理部１００１は、ＮＦＣタグ１７０から供給される画像データを取得し、取得した画像データを記憶部１２０に記憶させる。また、画像データ処理部１００１は、圧縮されている画像データを伸張し、伸張された画像データを表示制御部１００２へ供給する。表示制御部１００２は、画像データ処理部１００１から供給される画像データが表す画像の映像信号を生成し、生成した映像信号を映像処理部１５０へ供給する。また、表示制御部１００２は、映像インターフェース１６０で取得している映像信号の画像と、画像データから生成した映像信号が表す画像とが共に投写されるように映像処理部１５０を制御する。
【００２３】
（端末装置２０の構成）
図４は、端末装置２０のハードウェア構成の一例を示した図である。制御部２０１は、ＣＰＵやＲＡＭ、不揮発性メモリーを備えており、ＣＰＵが不揮発性メモリーに記憶されているプログラムを実行することにより、スマートフォンのオペレーティングシステムが立ち上がる。
【００２４】
タッチパネル２０３は、表示装置（例えば液晶ディスプレイ）と、表示装置の表示面において指の接触を検出するセンサーとを組み合わせた装置であり、ユーザーにより操作される操作部の一例である。タッチパネル２０３は、文字やＧＵＩ、端末装置２０を操作するためのメニュー画面などを表示装置で表示する。また、タッチパネル２０３は、ユーザーが指で触れた位置をセンサーで検出する。制御部２０１は、タッチパネル２０３が検出した位置と、タッチパネルに表示されている画面に応じてユーザーの操作を特定し、特定した操作に応じて各部の制御や各種処理を実行する。
【００２５】
音声処理部２０７は、マイクロホンとスピーカを有している。音声処理部２０７は、端末装置２０同士が音声通話を行う場合、通話相手の音声に係るデジタル信号が通信部２０５から供給されると、供給されたデジタル信号をアナログ信号に変換する。このアナログ信号は、スピーカへ供給され、スピーカからは、通話相手の音声が放音される。また、音声処理部２０７は、マイクロホンが音声を収音すると、収音した音声をデジタル信号に変換する。音声処理部２０７は、端末装置２０で音声通話を行う場合、ユーザーの音声を変換したデジタル信号を通信部２０５へ供給する。このデジタル信号は、通信部２０５から移動体通信網へ送信され、通話相手の端末装置２０へ送信される。
【００２６】
近距離通信部２０８は、ＮＦＣの規格に従った通信を行うアンテナ（図示略）や通信インターフェースを有している。近距離通信部２０８は、外部装置から送信された電波をアンテナで受信し、受信した電波が表す信号を制御部２０１へ供給する。また、近距離通信部２０８は、制御部２０１から供給された信号を表す電波をアンテナから送信する。
【００２７】
記憶部２０２は、不揮発性メモリーであり、各種アプリケーションプログラムやアプリケーションプログラムが使用するデータを記憶する。本実施形態においては、記憶部２０２は、画像データが表す画像を表示する機能や、表示されている画像の画像データをＮＦＣの通信で外部装置へ送信する機能を実現するアプリケーションプログラム（以下、画像表示アプリとする）を記憶している。
【００２８】
（端末装置２０の機能構成）
図５は、アプリケーションプログラムを実行することにより実現する機能のうち、本発明に係る機能の構成を示したブロック図である。取得部２００１は、タッチパネル２０３に表示されている画像の画像データを記憶部２０２から取得する。出力部２００２は、取得部２００１が取得した画像データを、近距離通信部２０８を制御してＮＦＣの通信でプロジェクター１０へ出力する。
【００２９】
（実施形態の動作例）
図６は、制御部１１０が行う処理の流れを示したフローチャートである。図６を用いて本実施形態の動作例について説明する。端末装置２０のユーザーは、端末装置２０に記憶されている画像データの画像をプロジェクター１０に投写させる場合、画像表示アプリの実行を指示する操作をタッチパネル２０３において行う。制御部２０１は、ユーザーの操作に応じて画像表示アプリを実行する。画像表示アプリが起動された端末装置２０において、記憶部２０２に記憶されている画像データを選択する操作をユーザーが行うと、制御部２０１は、選択された画像データが表す画像が表示されるようにタッチパネル２０３を制御する。なお、選択された画像データが表す画像は、端末装置２０にインストールされている他のアプリケーションが表示する画面をキャプチャーしたものであってもよい。
【００３０】
ユーザーが、画像を表示した端末装置２０を、プロジェクター１０においてＮＦＣタグ１７０がある位置の近傍にかざすと、無線通信部１７２と近距離通信部２０８がＮＦＣの通信を行い、無線通信部１７２と近距離通信部２０８との間で無線接続が確立する。制御部２０１（取得部２００１）は、無線接続が確立すると、タッチパネル２０３で表示している画像の画像データを記憶部２０２から取得し、取得した画像データを圧縮する。次に制御部２０１（出力部２００２）は、圧縮された画像データを、近距離通信部２０８を制御してＮＦＣの通信で送信する。
【００３１】
無線通信部１７２は、近距離通信部２０８から送信された画像データを受信し、受信した画像データを制御部１７１へ供給する。制御部１７１は、供給された画像データをＲＡＭ１７３へ格納する。制御部１７１は、画像データの受信が終了すると、ＲＡＭ１７３に記憶された画像データを、シリアルインターフェース１７４を介して制御部１１０へ供給する。
【００３２】
制御部１１０は、シリアルインターフェース１７４から画像データが供給されると、供給された画像データを記憶部１２０に伸張する（ステップＳＡ１）。制御部１１０は、画像データの伸張が終了すると、画像の投写領域を左右の２つの領域に分割する（ステップＳＡ２）。次に制御部１１０は、分割前に投写していた画像が分割された一方の第１領域に投写され、伸張された画像データが表す画像の映像信号を映像処理部１５０へ供給し、画像データが表す画像が他方の第２領域に投写されるように映像処理部１５０を制御する（ステップＳＡ３）。画像データの画像を投写すると、制御部１１０は、端末装置２０と接続中であるか判断する（ステップＳＡ４）。
【００３３】
制御部１７１は、予め定められた時間を超えて無線通信部１７２が端末装置２０からの電波を受信していないと、無線接続が切断したことを制御部１１０へ通知する。制御部１１０は、無線接続が切断したことの通知を受け取ると、端末装置２０と無線接続されていないと判断する（ステップＳＡ４でＮＯ）。制御部１１０は、ステップＳＡ４でＮＯと判断すると、投写領域の分割を解除し（ステップＳＡ５）、第１領域に投写していた画像を投写する（ステップＳＡ６）。
【００３４】
以上説明したように、本実施形態によれば、端末装置２０をプロジェクター１０に近づけるだけで、端末装置２０に表示されている画像をプロジェクター１０で投写することができる。
【００３５】
［変形例］
以上、本発明の実施形態について説明したが、本発明は上述した実施形態に限定されることなく、他の様々な形態で実施可能である。例えば、上述の実施形態を以下のように変形して本発明を実施してもよい。なお、上述した各実施形態及び以下の変形例は、一つ又は複数を適宜組み合わせて実施してもよい。
【００３６】
上述した実施形態においては、プロジェクター１０は、端末装置２０から画像データを受信すると、投写領域を分割しているが、投写領域を分割せず、投写していた画像に替えて画像データが表す画像を投写してもよい。
【００３７】
上述した実施形態においては、端末装置２０をプロジェクター１０から離すと、プロジェクター１０は、端末装置２０から受信した画像データの画像の投写を行わない構成となっているが、例えば、端末装置２０がプロジェクター１０から離れても画像データの画像の投写を継続し、再度端末装置２０とプロジェクター１０とがＮＦＣの通信で無線接続した場合、投写領域の分割を解除し、第１領域に投写していた画像を投写する構成としてもよい。
【００３８】
上述した実施形態においては、画像データを端末装置２０からプロジェクター１０へ送信する際に、まず、画像データの画像を縮小して画像のサイズを小さくし、小さくなった画像の画像データを端末装置２０からプロジェクター１０へ送信してもよい。
【００３９】
上述した実施形態においては、ＮＦＣタグは、プロジェクター１０に内蔵される構成となっているが、ケーブルで接続する外付けの構成としてもよいし、外付けのＮＦＣタグを直接コネクターに接続する構成としてもよい。
【００４０】
上述した実施形態においては、端末装置２０とプロジェクター１０とがＮＦＣの通信で接続されると、プロジェクター１０は、投写領域を左右の２つの領域に分割しているが、ピクチャーインピクチャーの領域を画面内に生成し、受信した画像データの画像をピクチャーインピクチャーの領域で表示する構成としてもよい。
【００４１】
上述した実施形態においては、制御部１７１は、無線通信部１７２が受信した画像データをＲＡＭ１７３に記憶させているが、ＲＡＭ１７３に記憶させずに制御部１１０へ転送する構成としてもよい。
【００４２】
上述した実施形態においては、プロジェクター１０に複数のＮＦＣタグ１７０を設ける構成としてもよい。例えば、図７に示したように、プロジェクター１０の上面側にＮＦＣタグ１７０Ａ、ＮＦＣタグ１７０Ｂ、ＮＦＣタグ１７０Ｃ及びＮＦＣタグ１７０Ｄを配置する構成としてもよい。
プロジェクター１０が複数のＮＦＣタグを有する構成の場合、プロジェクター１０の投写領域において、端末装置２０からＮＦＣの通信で受信した画像データの画像を投写する位置を端末装置２０と通信を行ったＮＦＣタグに応じた位置としてもよい。
例えば、プロジェクター１０が図７に示したように４つのＮＦＣタグを有する場合、プロジェクター１０は、ＮＦＣタグ１７０Ａで端末装置２０から画像データを取得すると、ピクチャーインピクチャーの領域Ｐｉｎを、図８（ａ）に示したように投写領域Ａの左上側に配置し、受信した画像データの画像を領域Ｐｉｎで表示し、ＮＦＣタグ１７０Ｂで端末装置２０から画像データを取得すると、領域Ｐｉｎを図８（ｂ）に示したように投写領域Ａの右上側に配置し、受信した画像データの画像を領域Ｐｉｎで表示してもよい。また、プロジェクター１０は、ＮＦＣタグ１７０Ｃで端末装置２０から画像データを取得すると、領域Ｐｉｎを図８（ｃ）に示したように投写領域Ａの左下側に配置し、受信した画像データの画像を領域Ｐｉｎで表示し、ＮＦＣタグ１７０Ｄで端末装置２０から画像データを取得すると、領域Ｐｉｎを図８（ｄ）に示したように投写領域Ａの右下側に配置し、受信した画像データの画像を領域Ｐｉｎで表示してもよい。また、ピクチャーインピクチャーで表示するのではなく、画面を２行２列に４分割し、ＮＦＣタグ１７０Ａで画像データを取得した場合は、左上の領域に画像データの画像を表示し、ＮＦＣタグ１７０Ｂで画像データを取得した場合は、右上の領域に画像データの画像を表示し、ＮＦＣタグ１７０Ｃで画像データを取得した場合は、左下の領域に画像データの画像を表示し、ＮＦＣタグ１７０Ｄで画像データを取得した場合は、右下の領域に画像データの画像を表示する構成としてもよい。
【００４３】
上述した実施形態においては、画像データを端末装置２０からプロジェクター１０へＮＦＣの通信で送信しているが、この構成に限定されるものではない。例えば、プロジェクター１０が静止画を投写しているときに端末装置２０をＮＦＣタグ１７０にかざした場合、投写している映像の画像データを無線通信部１７２から近距離通信部２０８へ送信し、近距離通信部２０８が受信した画像データを制御部２０１が取得して記憶部２０２に書き込むようにしてもよい。この構成によれば、端末装置２０をプロジェクター１０に近づけるだけで、プロジェクター１０で投写されている画像を端末装置２０で取得することができる。
【００４４】
上述した実施形態においては、画像を投写する装置は、液晶プロジェクターとなっているが、デジタルミラーデバイスを用いたプロジェクターでもよい。また、上述した実施形態においては、端末装置２０から送られた画像データを受信して画像を表示するのは、プロジェクター１０に限定されるものではなく、例えば、液晶テレビなどの直視型のディスプレイ装置であってもよい。
【符号の説明】
【００４５】
１０…プロジェクター、２０…端末装置、１１０…制御部、１２０…記憶部、１３０…操作部、１４０…投写部、１４１…光源、１４２…ライトバルブ、１４３…投写光学系、１４４…駆動回路、１５０…映像処理部、１６０…映像インターフェース、１７０、１７０Ａ〜１７０Ｄ…ＮＦＣタグ、１７１…制御部、１７２…無線通信部、１７３…ＲＡＭ、１７４…シリアルインターフェース、１８０…通信部、２０１…制御部、２０２…記憶部、２０３…タッチパネル、２０５…通信部、２０７…音声処理部、２０８…近距離通信部、
１００１…画像データ処理部、１００２…表示制御部、２００１…取得部、２００２…出力部
【図１】
2016177132.tif 000003
【図２】
2016177132.tif 000004
【図３】
2016177132.tif 000005
【図４】
2016177132.tif 000006
【図５】
2016177132.tif 000007
【図６】
2016177132.tif 000008
【図７】
2016177132.tif 000009
【図８】
2016177132.tif 000010